(57)【要約】      （修正有）【課題】少人数でも幟ポールの起倒作業を容易にかつ安全に行ない得る幟建て安全装置を提供する。【解決手段】地面に設置した基礎体の上端部に取り付け、幟ポールを基礎体に固定する幟建て安全装置であって、基礎体に固定するための基礎体固定部１１と、立設しようとする幟ポールを受け入れる幟ポール受入れ部１２と、からなり、基礎体固定部は、基礎体上端部の一側面に接する第１側面板１３と、第１側面板に対向する第２側面板１４と、第１側面板と第２側面板とを基礎体の裏面で連結する連結部１５と、を備え、幟ポール受入れ部は、第２側面板の、連結部と反対側の側端から延設された延設部１６と、延設部の延設端から第１側面板方向に直角状に屈曲するアーム部１７を有し、第１側面板及び第２側面板は、上部にボルト挿通用の上部貫通孔１３ａ、１４ａを備える。【選択図】図１
0003223885.tif 000002
【実用新案登録請求の範囲】
【請求項１】
地面に設置した基礎体の上端部に取り付け、幟ポールをその基礎体に固定するための幟建て安全装置であって、
前記幟建て安全装置は、基礎体に固定するための基礎体固定部と、立設しようとする幟ポールを受け入れるための幟ポール受入れ部と、からなり、
前記基礎体固定部は、基礎体上端部の一側面に接する第１側面板と、
前記第１側面板に対向するように設けられた第２側面板と、
該第１側面板と第２側面板とを基礎体の裏面で連結する連結部と、を備え、
前記幟ポール受入れ部は、
前記第２側面板の、連結部と反対側の側端から延設された延設部と、
前記延設部の延設端から前記第１側面板方向に直角状に屈曲するアーム部を有しており、
前記第１側面板及び第２側面板は、
その上部にボルト挿通用の上部貫通孔を備えており、
基礎体の上端部に取り付け固定する際には、
前記上部貫通孔間に挟持ボルトを挿通して、
前記第１側面板と第２側面板とで基礎体の側面を挟持するようにし、
幟ポールを建てる際には、
幟ポールの中間部を前記幟ポール受入れ部に受入れるようにしたことを特徴とする幟建て安全装置。
【請求項２】
前記第１側面板及び第２側面板はその下部にも下部貫通孔を備えており、
基礎体に取り付ける際に、前記基礎体固定部を上下逆転させて基礎体の上端部に挿入するようにしたことを特徴とする請求項１に記載の幟建て安全装置。
【請求項３】
前記第１側面板、第２側面板、連結部のいずれか１以上には、
外方からネジを挿入して基礎体に当接させて固定するためのネジ穴が形成されていることを特徴とする請求項１又は請求項２に記載の幟建て安全装置。
【考案の詳細な説明】
【技術分野】
【０００１】
本考案は、神社の祭りなどの幟などを揚げるとき用いる柱を建てたり倒したりする際に使用する安全装置に関し、石柱などに幟を容易にかつ安全に建てるための幟建て安全装置に関する。
【背景技術】
【０００２】
従来、例えば、神社で祭りの幟を建てるのに使用する柱（幟ポール）は、長いものでは長さ２０ｍ以上、重さ６００ｋｇ以上あるものがある。
幟ポールは普段は小屋にしまってあり、幟ポールを建てる箇所の地面には、幟ポールを固定する基礎体（石柱）が埋設されている。
幟ポールを建てるときには、地面に埋設された基礎体の貫通孔と幟ポールの根元の貫通孔とにボルトを差し込み、幟ポールの先端側を先端を二股にした竹竿などで押し上げていた。
しかもその場合下端部をしつかり固定しておかないと、幟ポールが起立する直前に下部が跳ね上がったりするという問題点があった。
さらに、勢いよく起立させるとそのまま反対側に倒れたりし、幟ポールの上端が周辺のアンテナ又は屋根瓦等と接触して破損したりする事故が生じ、更には、周辺に高圧線があると感電事故を起こす危険があった。
また、祭りが終わって幟ポールを仕舞うときは、この逆の手順で作業を行っていた。
従来、この幟ポールの起倒は、祭りの行事の一環として人手で行われてきたが、多くの人手が必要であった。
近年は、人が集まらなくなったため、クレーンやフォークリフトを使用して行われることも多くなっていたが、経費がかかっていた。
また、他の方法として、特許文献１に示すように、地面にパイルを打ち込んだ後、パイルに最大径の接続管を挿し込み、この接続管内から他の接続管を細いものから順に引き出して次々と下位の接続管に螺子で接続し、長尺幟ポールとする方法がある。
しかし、この方法では、接続管を接続するに従って持ち上げる重量が大きくなるから、接続すべき２本の接続管の下方位置の接続管の先端の螺子挿通孔に上方位置の接続管の螺子挿通孔を合致させるのが困難であり、更に、両螺子挿通孔を正確に合致させた状態を保持しなければ螺子を挿通出来ないと言った欠点がある。
【先行技術文献】
【特許文献】
【０００３】
【特許文献１】実開平３−４１０６９
【考案の概要】
【考案が解決しようとする課題】
【０００４】
本考案は、前記従来の種々の問題点に鑑み、少人数でも幟ポールの起倒作業を容易にかつ安全に行ない得る幟建て安全装置を提供するものである。
【考案の効果】
【０００５】
本発明によれば、本考案の幟建て安全装置は、幟ポールの下部を基礎体に回動自在に取り付けして幟ポールを建てることができるので、少人数で作業を行なっても、安全に立設、傾倒させることができる。
しかも、幟ポールを勢いよく起立させても、安全装置の受入れ部に幟ポールが嵌入して幟ポールが直立状態で係止し、それ以上反対側に倒れる事がなく、周辺に種々の障害物があっても完全であり、安心して作業を行なう事が出来る。
また、現在市販されているポールをそのまま適用でき、幟ポールを直立させた極めて不安定な状態で孔合せする困難な作業を解消することが出来る。
さらに、人手により起倒するものであるから、幟の起倒作業を伝統的な行事として維持することができる。
また、コンクリート等で固定されて埋設された基礎体（石柱など）の上部に着脱可能に設けられるため、使用しない時には基礎体から外しておくことができるので、通常時には障害とならず保管できる。
【課題を解決するための手段】
【０００６】
（１）本考案の幟建て安全装置は、地面に設置した基礎体の上端部に取り付け、幟ポールをその基礎体に固定するための幟建て安全装置であって、
前記幟建て安全装置は、基礎体に固定するための基礎体固定部と、
立設しようとする幟ポールを受け入れるための幟ポール受入れ部と、からなり、
前記基礎体固定部は、基礎体上端部の一側面に接する第１側面板と、
前記第１側面板に対向するように設けられた第２側面板と、
該第１側面板と第２側面板とを基礎体の裏面で連結する連結部と、を備え、
前記幟ポール受入れ部は、前記第２側面板の、連結部と反対側の側端から延設された延設部と、
前記延設部の延設端から前記第１側面板方向に直角状に屈曲するアーム部を有しており、
前記第１側面板及び第２側面板は、その上部にボルト挿通用の上部貫通孔を備えており、
基礎体の上端部に取り付け固定する際には、前記上部貫通孔間に挟持ボルトを挿通して、前記第１側面板と第２側面板とで基礎体の側面を挟持するようにし、
幟ポールを建てる際には、幟ポールの中間部を前記幟ポール受入れ部に受入れるようにしたことを特徴とする。
（２）本考案の幟建て安全装置は、上記（１）において、
前記第１側面板及び第２側面板はその下部にも下部貫通孔を備えており、基礎体に取り付ける際に、前記基礎体固定部を上下逆転させて基礎体の上端部に挿入するようにしたことを特徴とする。
（３）本考案の幟建て安全装置は、上記（１）又は（２）において、
前記第１側面板、第２側面板、連結部のいずれか１以上には、外方からネジを挿入して基礎体に当接させて固定するためのネジ穴が形成されていることを特徴とする。
【図面の簡単な説明】
【０００７】
【図１】本考案の幟建て安全装置を示す概略斜視図である。
【図２】図１の詳細を示す概略図であり、（ａ）は右側面図（アーム部を省略）、（ｂ）は平面図（アーム部に幟ポールを受け入れた状態）、（ｃ）は左側面図、（ｄ）は正面図（アーム部を省略）、である。
【図３】本考案の幟建て安全装置を基礎体に取り付けた後、幟ポール受入れ部に幟ポールを挿入した状態を示す概略斜視図である。
【図４】神社の地面に設けられた基礎体の概略斜視図である。
【図５】神社の地面に設けられた基礎体の上端部に本考案の装置を取り付ける様子を示す概略正面図である。
【図６】基礎体の第１貫通孔と幟ポールの貫通孔とにボルトを挿入して、幟ポールを建てる様子を示す概略正面図である。
【図７】基礎体に幟ポールを当接して建てかけた様子を示す概略図である。
【図８】本考案の幟建て安全装置の実施形態２を示す概略斜視図である。
【考案を実施するための形態】
【０００８】
以下、本考案の幟建て安全装置の詳細を、図示する実施例に基いて説明する。
図１は、本考案の幟建て安全装置１０を示す概略斜視図である。
図２は、図１の詳細図であり、（ａ）は第１側面板１３を示す右側面図（アーム部を省略）、（ｂ）は平面図、（ｃ）は第２側面板１４及びアーム部１５の一部を示す左側面図、（ｄ）は正面図（アーム部を省略）である。
図３は、幟建て安全装置１０の基礎体固定部１１を基礎体１の上端部に挿入して取り付けた後、ポール受入れ部１２のアーム部１３に幟ポール２の中間部２ａを受け入れた状態を示す概略斜視図である。
なお、幟ポールとは、アルミ、ステンレス、鉄などの金属製のパイプなどの他、杉などの丸太を含むものである。
図４は、神社の地面に設けられた基礎体１の概略斜視図である。
図５は、基礎体１の上端部に幟建て安全装置１０（アーム部を省略）を取り付ける様子を示す概略正面図である。
図６は、基礎体の貫通孔と幟ポールの貫通孔とにボルトを挿入して、幟ポールを建てる様子を示す概略正面図である。
図７は、基礎体に幟ポールを当接して建てかけた様子を示す概略図である。
【０００９】
図示するように、本考案の幟建て安全装置１０は、基礎体１の上端部に取り付けられ、幟を建てるときに使用するための装置である。
なお、基礎体１とは、神社や寺社などの地面に設置されている石柱などで構成されるものであり、上下２カ所に、幟を建てるときに使用する貫通孔１ａ、１ｂが形成されている。
【００１０】
幟建て安全装置１０は、神社などの地面に設置された基礎体１に固定するための基礎体固定部１１と、立設しようとする幟ポール２を受け入れるための幟ポール受入れ部１２とからなる。
なお、基礎体固定部１１や幟ポール受入れ部１２のサイズは、基礎体１の外寸や、幟ポール２の外径や高さなどの情報をあらかじめ得て設計される。
【００１１】
基礎体固定部１１は、基礎体上端部の一側面に接する第１側面板１３と、第１側面板１３に対向するように設けられた第２側面板１４と、第１側面板１３と第２側面板１４とを基礎体１の裏面で連結する連結部１５と、を有する。
基礎体固定部１１は、第１側受板１３（基礎体１の一方側面に当接）と、対向する第２側受板１４とで、基礎体１の両側面を挟持して、基礎体１の上端部に安定して固定することができる。
【００１２】
さらに、第１側面板１３と第２側面板１４の上部には、ボルトを通すための上部貫通孔１３ａ，１４ａが設けられており、両貫通孔１３ａ，１４ａ間に挟持ボルト１８を挿通させて端部にナツト１８ａを螺合させて締付けることにより、基礎体１の側面をより強く挟持して基礎体固定部１１を基礎体１に固定することができ、幟建て安全装置１０の落下を防ぐことができる。
【００１３】
幟ポール受入れ部１２は、第２側面板１４の、連結部１５と反対側の側端から延設された延設部１６と、延設部１６の延設端から第１側面板１３方向に直角状に屈曲するアーム部１７を有しており、幟ポール２を建てる際には、幟ポール２の中間部２ａを、アーム部１７に沿って導入しつつ延設部１６に当接させるようにする。
【００１４】
＜作用＞
以下、本考案の幟建て安全装置１０を用いて幟を建てる手順を説明する。
まずは、図５に示すように、基礎体固定部１１を、地面に建てられた基礎体１の上端に取り付けて安全装置１０を基礎体１に固定する。
【００１５】
次に、幟ポール２の根元の貫通孔２ａと、基礎体１の貫通孔１ａとを一致させ、幟ポール２の貫通孔２ａ側からボルトを挿入して、基礎体１と幟ポール２とを枢着（回動自在に）させる。
【００１６】
そして、図６の矢印で示すように、貫通孔２ａを支点に幟ポール２を回動させて、幟建て安全装置１０のポール受入れ部１２のアーム部１７に、幟ポール２の中間部２ｃを導入するとともに延設部１６に当接させ、基礎体１の貫通孔１ｂと幟ポール２の貫通孔２ｂにボルトを挿入して留めることによって、図７に示すように幟ポール２の立設が完了する。
【００１７】
＜実施形態２＞
図８は、幟建て安全装置の実施形態２を示す概略斜視図である。
実施形態２の幟建て安全装置２０は、第１側面板１３にネジ穴１３ｃを設けている点で実施形態１と異なるが、その他の点では同じである。
よって、実施形態１と同じ部材については同じ符号を付している。
第１側面板１３に設けられているネジ穴１３ｃにネジを螺着して、その突出端を基礎体１の側面に当接させて、基礎体１と第１側面板１３との隙間を固定することができる。
なお、第２側面板１４や連結部１５にもネジ穴１４ｃ、１５ｃを設けることができ、これらのネジ穴１４ｃ、１５ｃにもネジを螺着することによって、基礎体１に幟建て安全装置２０をより強く固定することができる。
【産業上の利用可能性】
【００１８】
以上のように、本考案の幟建て安全装置は、神社の祭りなどで幟を建てる際に用いる実施形態を例にとって説明したが、
その他の場面（例えば、鯉のぼりやイベント会場）で、長尺のポールを建てるのに使用する際にも用いることができる。
【符号の説明】
【００１９】
１    基礎体
１ａ、１ｂ  貫通孔
２  幟ポール
２ａ、２ｂ  幟ポールの貫通孔
２ｃ  幟ポールの中間部
１０  幟建て安全装置
１１  基礎体固定部
１２  幟ポール受入れ部
１３  第１側面板
１３ａ，１４ａ  上部貫通孔
１３ｃ  ネジ穴
１４  第２側面板
１４ｃ、１５ｃ  ネジ穴
１５  連結部
１６  延設部
１７  アーム部
１８  挟持ボルト
１８ａ  ナツト
２０  実施形態２の幟建て安全装置
【図１】
0003223885.tif 000003
【図２】
0003223885.tif 000004
【図３】
0003223885.tif 000005
【図４】
0003223885.tif 000006
【図５】
0003223885.tif 000007
【図６】
0003223885.tif 000008
【図７】
0003223885.tif 000009
【図８】
0003223885.tif 000010